(57)【特許請求の範囲】
【請求項１】
幅方向両側の下端に突条を有するデッキ材のうち、取付順位が最先の始端デッキ材の根太一端側の突条を根太の一端に固着される端部連結金具により根太に固定し、その始端デッキ材の前記根太の他端側において前記根太の一端側と他端側の両側に湾曲係止片を有する中間連結金具を前記根太に固着するととともに、前記根太の一端側の湾曲係止片を前記始端デッキ材の根太他端側の突条に引っ掛けて係止し、前記根太の他端側の湾曲係止片と前記根太の間に次の取付順位のデッキ材の根太一端側の突条を押し込んで固定し、以下、取付順位が最後の終端デッキ材まで、先順位デッキ材の他方側における前記中間連結金具の前記根太に対するねじ止め、その中間連結金具の前記根太の一端側の湾曲係止片の先順位デッキ材の根太他端側の突条への引っ掛け係止及び前記中間連結金具の前記根太の他端側の湾曲係止片と前記根太の間への後順位デッキ材の根太一端側の突条の押し込みを繰り返し、前記終端デッキ材の他端を前記根太の他端に前記端部連結金具によりに固定するようにしたデッキにおいて、
前記中間連結金具は、短冊状の底部の両側から立ち上がる左右対称形の湾曲係止片を一体に有し、
各湾曲係止片は、前記底部から立ち上がる立ち上がり部と、各立ち上がり部から互いに反対方向に張り出す張り出し部と、その張り出し部の先端から下方に凸面となるように湾曲された下方凸部と、その下方凸部から上り傾斜する傾斜部とを有するとともに、先順位デッキ材側の湾曲係止片の傾斜部にビス貫通孔が設けてあるものであり、
前記デッキ材の幅方向両側面の下部に傾斜面を有する凹部が形成されていて、その凹部の先端に前記デッキ材の幅方向両側の下端の突条が形成してあり、
前記中間連結金具の先順位デッキ材側の湾曲係止片を前記先順位デッキ材の根太他端側の突条に引っ掛け係止したときにその中間連結金具のビス貫通孔を経てビスを前記先順位デッキ材の幅方向側面の傾斜面にデッキ材の側面斜め上方からねじ込んで、そのデッキ材を前記中間連結金具に固着するようにしたことを特徴とするデッキ。
【請求項２】
一端部に湾曲係止片を有する端部連結金具を根太の一端に固着し、幅方向両側の下端に突条を有するデッキ材のうち、取付順位が最先の始端デッキ材の根太一端側の突条を前記端部連結金具の湾曲係止片と前記根太の間に押し込んで固定し、その始端デッキ材の他方側において前記根太の一端側と他端側の両側に湾曲係止片を有する中間連結金具を前記根太に固着するととともに、その中間連結金具の前記根太の一端側の湾曲係止片を前記始端デッキ材の根太他端側の突条に引っ掛けて係止し、前記中間連結金具の前記根太の他端側の湾曲係止片と前記根太の間に次の取付順位のデッキ材の根太一端側の突条を押し込んで固定し、以下、取付順位が最後の終端デッキ材まで、先順位デッキ材の他方側における前記中間連結金具の前記根太に対するねじ止め、その中間連結金具の前記根太の一端側の湾曲係止片の先順位デッキ材の根太他端側の突条への引っ掛け係止及び前記中間連結金具の前記根太の他端側の湾曲係止片と前記根太の間への後順位デッキ材の根太一端側の突条の押し込みを繰り返し、前記根太の他端部に、一端部に湾曲係止片を有するもう一つの端部連結金具を固着するとともに、その端部連結金具の湾曲係止片を前記終端デッキ材の根太他端側の突条に引っ掛け係止するようにしたデッキにおいて、
前記中間連結金具は、短冊状の底部の両側から立ち上がる左右対称形の湾曲係止片を一体に有し、
各湾曲係止片は、前記底部から立ち上がる立ち上がり部と、各立ち上がり部から互いに反対方向に張り出す張り出し部と、その張り出し部の先端から下方に凸面となるように湾曲された下方凸部と、その下方凸部から上り傾斜する傾斜部とを有するとともに、先順位デッキ材側の湾曲係止片の傾斜部にビス貫通孔が設けてあるものであり、
前記端部連結金具の湾曲係止片は、上面部から立ち上がる立ち上がり部と、各立ち上がり部から張り出す張り出し部と、その張り出し部の先端から下方に凸面となるように湾曲された下方凸部と、その下方凸部から上り傾斜する傾斜部とを有するとともに、前記湾曲係止片の傾斜部にビス貫通孔が設けてあるものであり、
前記デッキ材の幅方向両側面の下部に傾斜面を有する凹部が形成されていて、その凹部の先端に前記デッキ材の幅方向両側の下端の突条が形成してあり、
前記中間連結金具の先順位デッキ材側の湾曲係止片を前記先順位デッキ材の根太他端側の突条に引っ掛け係止したときにその中間連結金具のビス貫通孔を経てビスを前記先順位デッキ材の幅方向側面の傾斜面にデッキ材の側面斜め上方からねじ込んで、そのデッキ材を前記中間連結金具に固着するとともに、
前記端部連結金具の湾曲係止片を前記始端デッキ材又は終端デッキ材の突条に引っ掛け係止したときにその端部連結金具のビス貫通孔を経てビスを前記始端デッキ材又は終端デッキ材の幅方向側面の傾斜面にデッキ材の側面斜め上方からねじ込んで、そのデッキ材を前記端部連結金具に固着するようにしたことを特徴とするデッキ。
【請求項３】
端部連結金具は、根太の上面に載置される上面部の両側に根太の側面に固着される垂下片を有していることを特徴とする請求項２に記載のデッキ。
【発明の詳細な説明】
【技術分野】
【０００１】
本発明は、デッキ材の幅方向両側の下端に設けてある突条に連結金具を架設し、その連結金具を根太（本明細書では、大引の場合も含む。）にねじ等により固着することにより、デッキ材を固定するようにしたデッキに関する。
【背景技術】
【０００２】
デッキ材の幅方向両側の突条に連結金具を架設し、その連結金具を根太にねじ等により固着することにより、デッキ材を固定するようにしたデッキは、例えば、特許文献１〜４などにより知られている。
【特許文献１】特開２００４−２１８３１２号公報
【特許文献２】特開２００４−２１８３１３号公報
【特許文献３】特開２００５−  ８３０１５号公報
【特許文献４】特開２００５−２５６３４０号公報
【発明の開示】
【発明が解決しようとする課題】
【０００３】
しかしながら、従来のデッキにおけるデッキ材に架設される連結金具は、短冊状又は倒立ハット形に形成されていて、その中央において根太にねじ止めなどにより固着され、その連結金具の両側に設けてある係止片は単に隣接するデッキ材の突条に引っ掛けて係止されているのみである。
【０００４】
その一例を説明する。図９は従来のデッキの中間を省略した断面図であり、同図において、１は根太（又は大引）、２は根太１に載せられたデッキ材であり、そのうち、２ｓは根太１の一端に最先に取り付けられる始端デッキ材、２ｍは根太の中間位置に取り付けられる中間デッキ材、２ｅは根太１の他端に最後に取り付けられる終端デッキ材である。いずれのデッキ材にも、その幅方向両側の下端に突条２１が設けられている。３Ａは始端デッキ材２ｓ及び終端デッキ材２ｅを根太１に固定するための端部連結金具、３Ｂは隣接する各デッキ材に架設されてそのデッキ材を根太に固定するための中間連結金具である。中間連結金具３Ｂは、２個の端部連結金具３Ａを左右対称形に接合した形状に形成されている。
【０００５】
そして、端部連結金具３Ａは、根太１に載せられた始端デッキ材２ｓ又は終端デッキ材２ｅの一端の突条２１に引っ掛け係止されてねじ４により根太１に固着される。また、中間連結金具３Ｂは、隣接するデッキ材の隣り合う突条２１に引っ掛け係止されて、すなわち、両デッキ材に架設されてねじ４により根太１に固着されて、各デッキ材を固定している。
【０００６】
上述のように、従来のデッキは、各デッキ材が連結金具の係止片を単にデッキ材の突条に引っ掛けて係止されているのみであるため、人がデッキ上を歩くときにデッキ材が長手方向に移動して、長手方向に隣接するデッキ材の隣り合う端部の間に隙間が生じたり、デッキ上を歩行する人の体重が根太と根太の間においてデッキ材に加わったときに、そのデッキ材が沈み込んで、隣接するデッキ材との間に段差が生じたりする。このような隙間や段差は、ゴミの進入やデッキ上を歩く人の足指の怪我や躓きの原因となるので、好ましくない。
【０００７】
本発明は、上記の問題を解決するためになされたものである。すなわち、本発明の課題は、連結金具の最小限の改良により、デッキ材が移動しないように固定することにある。
【課題を解決するための手段】
【０００８】
上記の課題を解決するため、第１の発明は、幅方向両側の下端に突条を有するデッキ材のうち、取付順位が最先の始端デッキ材の根太一端側の突条を根太の一端に固着される端部連結金具により根太に固定し、その始端デッキ材の他方側において前記根太の一端側と他端側の両側に湾曲係止片を有する中間連結金具を前記根太に固着するととともに、その中間連結金具の前記根太の一端側の湾曲係止片を前記始端デッキ材の根太他端側の突条に引っ掛けて係止し、前記中間連結金具の前記根太の他端側の湾曲係止片と前記根太の間に次の取付順位のデッキ材の根太一端側の突条を押し込んで固定し、以下、取付順位が最後の終端デッキ材まで、先順位デッキ材の他方側における前記中間連結金具の前記根太に対するねじ止め、その中間連結金具の前記根太の一端側の湾曲係止片の先順位デッキ材の根太他端側の突条への引っ掛け係止及び前記中間連結金具の前記根太の他端側の湾曲係止片と前記根太の間への後順位デッキ材の根太一端側の突条の押し込みを繰り返し、前記終端デッキ材の他端を前記根太の他端に前記端部連結金具によりに固定するようにしたデッキにおいて、前記中間連結金具は、短冊状の底部の両側から立ち上がる左右対称形の湾曲係止片を一体に有し、各湾曲係止片は、前記底部から立ち上がる立ち上がり部と、各立ち上がり部から互いに反対方向に張り出す張り出し部と、その張り出し部の先端から下方に凸面となるように湾曲された下方凸部と、その下方凸部から上り傾斜する傾斜部とを有するとともに、先順位デッキ材側の湾曲係止片の傾斜部にビス貫通孔が設けてあるものであり、
前記デッキ材の幅方向両側面の下部に傾斜面を有する凹部が形成されていて、その凹部の先端に前記デッキ材の幅方向両側の下端の突条が形成してあり、前記中間連結金具の先順位デッキ材側の湾曲係止片を前記先順位デッキ材の根太他端側の突条に引っ掛け係止したときにその中間連結金具のビス貫通孔を経てビスを前記先順位デッキ材の幅方向側面の傾斜面にデッキ材の側面斜め上方からねじ込んで、そのデッキ材を前記中間連結金具に固着するようにしたことを特徴としている。
上記構成において、いずれのデッキ材も、根太に固着された中間連結金具及びその中間連結金具に設けられたビス貫通孔からそのデッキ材にねじ込まれるビスを介して、根太に固定される。従って、デッキ材は長手方向及び幅方向の移動が阻止される。
【０００９】
上記の課題を解決するため、第２の発明は、一端部に湾曲係止片を有する端部連結金具を根太の一端に固着し、幅方向両側の下端に突条を有するデッキ材のうち、取付順位が最先の始端デッキ材の根太一端側の突条を前記端部連結金具の湾曲係止片と前記根太の間に押し込んで固定し、その始端デッキ材の他方側において前記根太の一端側と他端側の両側に湾曲係止片を有する中間連結金具を前記根太に固着するととともに、その中間連結金具の前記根太の一端側の湾曲係止片を前記始端デッキ材の根太他端側の突条に引っ掛けて係止し、前記中間連結金具の前記根太の他端側の湾曲係止片と前記根太の間に次の取付順位のデッキ材の根太一端側の突条を押し込んで固定し、以下、取付順位が最後の終端デッキ材まで、先順位デッキ材の他方側における前記中間連結金具の前記根太に対するねじ止め、その中間連結金具の前記根太の一端側の湾曲係止片の先順位デッキ材の根太他端側の突条への引っ掛け係止及び前記中間連結金具の前記根太の他端側の湾曲係止片と前記根太の間への後順位デッキ材の根太一端側の突条の押し込みを繰り返し、前記根太の他端部に、一端部に湾曲係止片を有するもう一つの端部連結金具を固着するとともに、その端部連結金具の湾曲係止片を前記終端デッキ材の根太他端側の突条に引っ掛け係止するようにしたデッキにおいて、前記中間連結金具は、前記中間連結金具は、短冊状の底部の両側から立ち上がる左右対称形の湾曲係止片を一体に有し、各湾曲係止片は、前記底部から立ち上がる立ち上がり部と、各立ち上がり部から互いに反対方向に張り出す張り出し部と、その張り出し部の先端から下方に凸面となるように湾曲された下方凸部と、その下方凸部から上り傾斜する傾斜部とを有するとともに、先順位デッキ材側の湾曲係止片の傾斜部にビス貫通孔が設けてあるものであり、前記端部連結金具の湾曲係止片は、上面部から立ち上がる立ち上がり部と、各立ち上がり部から張り出す張り出し部と、その張り出し部の先端から下方に凸面となるように湾曲された下方凸部と、その下方凸部から上り傾斜する傾斜部とを有するとともに、前記湾曲係止片の傾斜部にビス貫通孔が設けてあるものであり、前記デッキ材の幅方向両側面の下部に傾斜面を有する凹部が形成されていて、その凹部の先端に前記デッキ材の幅方向両側の下端の突条が形成してあり、前記中間連結金具の先順位デッキ材側の湾曲係止片を前記先順位デッキ材の根太他端側の突条に引っ掛け係止したときにその中間連結金具のビス貫通孔を経てビスを前記先順位デッキ材の幅方向側面の傾斜面にデッキ材の側面斜め上方からねじ込んで、そのデッキ材を前記中間連結金具に固着するとともに、前記端部連結金具の湾曲係止片を前記始端デッキ材又は終端デッキ材の突条に引っ掛け係止したときにその端部連結金具のビス貫通孔を経てビスを前記始端デッキ材又は終端デッキ材の幅方向側面の傾斜面にデッキ材の側面斜め上方からねじ込んで、そのデッキ材を前記端部連結金具に固着するようにしたことを特徴としている。
上記構成において、始端デッキ材から終端デッキ材の一つ前のデッキ材までは、根太に固着された中間連結金具及びその中間連結金具に設けられたビス貫通孔からそのデッキ材にねじ込まれるビスを介して中間連結金具及び根太に固定され、終端デッキ材は端部連結金具に設けられたビス貫通孔からそのデッキ材にねじ込まれるビスを介して端部連結金具及び根太に固定される。従って、いずれのデッキ材も、長手方向及び幅方向の移動が阻止される。
【００１０】
上記デッキにおいて、端部連結金具は、根太の上面に載置される上面部の両側に根太の側面に固着される垂下片を有していることが好ましい。
【発明の効果】
【００１１】
請求項１の発明によれば、終端デッキ材を除くほかのいずれのデッキ材も、根太に固着された中間連結金具及びその中間連結金具に設けられたビス貫通孔からそのデッキ材にねじ込まれるビスを介して、根太に固定されるので、デッキ材は長手方向及び幅方向の移動が阻止される。従って、長手方向に隣接するデッキ材の間に隙間が生じたり、幅方向に隣り合うデッキ材の間に段差が生じたりすることがない。
また、中間連結金具の傾斜部に設けられたビス貫通孔を経てビスがデッキ材側面の斜め上方からねじ込まれるので、ビスのねじ込み作業が容易にできる。さらに、ビスを斜めにねじ込むので、ビスが根太に到達することなく中間連結金具とデッキ材を固着することができる。
【００１２】
請求項２の発明によれば、始端デッキ材から終端デッキ材の一つ前のデッキ材までは、根太に固着された中間連結金具及びその中間連結金具に設けられたビス貫通孔からそのデッキ材にねじ込まれるビスを介して中間連結金具及び根太に固定され、終端デッキ材は端部連結金具に設けられたビス貫通孔からそのデッキ材にねじ込まれるビスを介して端部連結金具及び根太に固定されるので、いずれのデッキ材も、長手方向及び幅方向の移動が阻止される。従って、長手方向に隣接するデッキ材の間に隙間が生じたり、幅方向に隣り合うデッキ材の間に段差が生じたりすることがない。
また、中間連結金具及び端部連結金具の傾斜部に設けられたビス貫通孔を経てビスがデッキ材側面の斜め上方からねじ込まれるので、ビスのねじ込み作業が容易にできる。さらに、ビスを斜めにねじ込むので、いずれのビスも根太まで到達させずに中間連結金具及び端部連結金具とデッキ材を固着することができる。
【００１３】
請求項３の発明によれば、端部連結金具の根太に対する取付強度が増す。従って、始端デッキ材及び終端デッキ材により中間デッキ材が両側から堅固に固定される。
【発明を実施するための最良の形態】
【００１４】
続いて、本発明の実施の形態について、図面に基づいて説明する。
図１は本発明に係るデッキの中間を省略した断面図、図２は根太の端部に固着されて、端部のデッキ材を固定するための端部連結金具の斜視図、図３はデッキ材の突条に架設されてデッキ材を根太に固定するための中間連結金具の斜視図、図４は端部連結金具を用いて始端デッキ材を根太に固定する状態を示す要部の斜視図、図５は中間連結金具を用いてデッキ材を根太に固定する状態を示す要部の斜視図、図６は端部連結金具を用いて終端デッキ材を固定する状態を示す要部の斜視図である。図９に示された部材と同一又は相当の部材には、同一の符号を用いる。
【００１５】
本発明において改良を加えられた連結金具のうち、端部連結金具３Ａは、図２にも示すように、根太１の上面に載置される上面部３１と、その上面部４１の長手方向両端部から下方に屈曲された垂下片３２と、上面部３１の片側から立ち上がり、断面ほぼＳ字形に形成されている湾曲係止片３３とを一体に有する。上面部３１と両側の垂下片３２は下方開口コ字形に連続して、根太１の上方からその根太１に鞍座させることができる。そして、垂下片３２に設けてあるビス貫通孔３２ｈからビスを根太１にねじ込むことにより、端部連結金具３Ａを根太１に固着することができる。
【００１６】
端部連結金具３Ａを根太１に固着するには、上面部３１にビス貫通孔を設け、そのビス貫通孔からビスを根太１に向けてねじ込むようにすることもできる。しかし、デッキ材２の突条２１の先端がそのデッキ材の側面に近い場合は、その始端デッキ材の一端側の側面を根太１の端面に接近させて取付るときは、上面部３１の幅を大きく取ることが出来ないので、上面部３１から根太１にビスをねじ込むことが困難になる。このような困難を解消するため、図示の例のように、端部連結金具３Ａの垂下片３２を設け、この垂下片からビスを根太にねじ込むことが望ましい。このような垂下片を設けて根太に固着する場合は、端部連結金具３Ａの根太１に対する取付強度が確保される。
【００１７】
湾曲係止片３３は上面部３１から立ち上がる立ち上がり部３３ａと、その立ち上がり部の上端から水平の張り出す張り出し部３３ｂと、その張り出し部の先端から下方に凸面となるように湾曲された下方凸部３３ｃと、その下方凸部から上り傾斜する傾斜部３３ｄとを一体に有する。上面部３１を通る水平面から下方凸部３３ｃまでの高さは、デッキ材２の突条２１の先端の厚みよりも若干小さく設定されている。また、傾斜部３３ｄには、複数個のビス貫通孔３３ｈが上面部３１の長手方向に離間した位置に設けられている。傾斜部３３ｄを備えてこれにビス貫通孔を設けた理由は、後述されるように、デッキ材の側面の斜め上方からビスをそのビス貫通孔にねじ込むことを容易にするためである。
【００１８】
他方、本発明において改良を加えられた連結金具のうち、、中間連結金具３Ｂは、図３に示すように、短冊状の底部３４の両側から立ち上がり、断面ほぼＳ字形に形成されている湾曲係止片３５とを一体に有する。底部３４は、根太１の上面の幅とほぼ等しい長さを有し、その中央には長手方向に隔てた位置にビス貫通孔３４ｈが設けられている。両側の湾曲係止片３５は左右対称形に形成されていて、各湾曲係止片３５は前述した端部連結金具３Ａの湾曲係止片３３と同一の形状及び寸法を有している。すなわち、その一方について説明すると、底部３４から立ち上がる立ち上がり部３５ａと、各立ち上がり部３５ａから互いに反対方向に水平に張り出す張り出し部３５ｂと、その張り出し部の先端から下方に凸面となるように湾曲された下方凸部３５ｃと、その下方凸部から上り傾斜する傾斜部３５ｄとを一体に有する。また、底部３４を通る水平面から下方凸部３５ｃまでの高さは、デッキ材の突条の先端の厚みよりも若干小さく設定されている。また、二つの傾斜部３５ｄのうち、少なくとも一方には、複数個のビス貫通孔３５ｈが底部３４の長手方向に離間した位置に設けられている。
【００１９】
なお、図１のデッキ材２は、従来と同様に、両側に突条２１を有するものであり、好ましくは、その突条の先端が連結金具との係合が容易に解除されないように、厚肉に形成されている。
【００２０】
このようなデッキ材を上記連結金具３Ａ，３ｂを用いて根太１に取り付ける工程を続いて説明する。図４に示すように、まず、根太１の端部の上面に端部連結金具３Ａを固着する。すなわち、両側の垂下片３２を根太１の両側面に当接し、上面部３１を根太の上面に載せて、各垂下片３２及び／又は上面部３１を根太１にビスｂ１，ｂ２で固着する。そのときに、端部連結金具の湾曲係止片３３の下方凸部と根太１の上面との間にはデッキ材２の突条２１の先端の厚肉部の厚みよりも若干薄い隙間が形成されている。
【００２１】
そして、根太１の上に始端デッキ材２ｓを根太の長手方向に対して直角状態に載せ、これを端部連結金具３Ａ方向に押し付ける。その際に、始端デッキ材の先端の突条２１が端部連結金具３Ａの湾曲係止片３３の下方凸部３３ｃをその弾性に抗して押し上げ、その下方凸部と根太の上面との間を通過すると、湾曲係止片３３が弾性により復帰するため、その湾曲係止片により始端デッキの突条が引っ掛け係止される。
【００２２】
次に、図５に示すように、その始端デッキ材２ｓの根太他端部側において中間連結金具３Ｂを根太１の上面に載せ、ビス貫通孔３５ｈが形成してある湾曲係止片３５をその始端デッキ材２ｓの根太他端部側の突条２１に引っ掛けるとともに、その湾曲係止片３５の傾斜部３５ｄをデッキ材２ｓの側面の凹部に嵌合し、その状態で底部３４のビス貫通孔３４ｈからビスｂ３を根太１にねじ込んでその中間連結金具３Ｂを根太１に固着するとともに、その中間連結金具３Ｂの傾斜部３５ｄに設けてあるビス貫通孔３５ｈからビスｂ４を始端デッキ材２ｓにねじ込む。これにより、始端デッキ材２ｓは、幅方向にも長手方向にも移動不能に根太１に固着される。
【００２３】
図１に示すように、二番目に取付られるデッキ材である中間デッキ材２ｍは、その根太一端側の突条２１を、始端デッキ材２ｓの根太一端側の突条を端部連結金具３Ａの湾曲係止片３３と根太１の間に押し込んで固定したのと同じ要領で、中間連結金具３Ｂの根太１の他方側の湾曲係止片３５に対して押し込んで、その湾曲係止片を中間デッキ材２ｍの突条に引っ掛け係止して固定する。そして、その２番目の中間デッキ材の根太の他方側の上面に次の中間連結金具（図示省略）が、最初の中間連結金具３Ｂの場合と同じ要領で固着され、ビス貫通孔３５ｈが形成してある湾曲係止片３５をその中間デッキ材２ｍの根太他端側の突条２１に引っ掛けるとともに、その湾曲係止片３５の傾斜部３５ｄをデッキ材２ｓの側面の凹部に嵌合し、その状態で底部３４のビス貫通孔３４ｈからビスｂ３を根太１にねじ込んでその中間連結金具３Ｂを根太１に固着するとともに、その中間連結金具３Ｂの傾斜部３５ｄに設けてあるビス貫通孔３５ｈからビスｂ４を中間デッキ材２ｍにねじ込む。これにより、中間デッキ材２ｍは、幅方向にも長手方向にも移動不能に根太１に固着される。
【００２４】
以後、終端デッキ材２ｅの一つ前の中間デッキ材２ｍまで、それぞれ前述と同様に、先順位に取り付けられたデッキ材（先順位デッキ材）を固定する中間連結金具の湾曲係止片と根太１の上面との間への、後順位デッキ材の根太一端側の突条の押し込み、当該中間デッキ材の他方側での根太上面への後順位中間連結金具の取付け及びその連結金具の一端側湾曲係止片の当該デッキ材へのビスのねじ込みを繰り返すことにより、デッキ材を順次根太に固定することが出来る。
【００２５】
そして、終端デッキ材３ｅを根太に固定するためには、図６に示すように、最後の中間連結金具の湾曲係止片と根太の上面との間に終端デッキ材の根太一端側の突条を押し込み、その後、その終端デッキ材の他方側のおいて、根太の上面にもう一つの端部連結金具３Ａをその湾曲係止片３３をその終端デッキ材側に向けて載置し、その湾曲係止片３３をデッキ材の突条２１に引っ掛け係止して、上面部３１及び／又は垂下片３２からねじを根太にねじ込んで固定すると共に、その際に、湾曲係止片３３を終端デッキ材の他方側の凹部嵌合し、その傾斜部からのビスを突条２１にねじ込んでその終端デッキ材を根太１に固定している。
【００２６】
上には、各デッキ材の長手方向中間部を根太に固定する場合の例を示し、説明したが、本発明に係る取付構造は、図７及び図８に示すように、デッキ材２の長手方向端部を根太１の上で隣接させた状態で固定する場合にも用いることができる。これについて説明すると、端部連結金具３Ａ及び中間連結金具３Ｂの根太に対する取付形態は、図７及び図８に示すように、デッキ材の長手方向中間部を根太に固定する場合と異ならない。長手方向に隣接するデッキ材は、その隣り合う端部が共通の根太１に載せられ、それぞれ共通の端部連結金具３Ａ又は中間連結金具３Ｂを介して根太１に結合される。
【図面の簡単な説明】
【００２７】
【図１】本発明に係るデッキの中間を省略した断面図。
【図２】端部連結金具の斜視図。
【図３】中間連結金具の斜視図。
【図４】端部連結金具を用いて始端デッキ材を根太に固定する状態を示す要部の斜視図。
【図５】中間連結金具を用いてデッキ材を根太に固定する状態を示す要部の斜視図。
【図６】端部連結金具を用いて終端デッキ材を固定する状態を示す要部の斜視図。
【図７】始端デッキ材又は終端デッキ材の長手方向端部を根太の上で隣接して固定する場合の取付形態を示す要部の斜視図。
【図８】中間デッキ材の長手方向端部を根太の上で隣接して固定する場合の取付形態を示す要部の斜視図。
【図９】従来のデッキの中間を省略した断面図。
【符号の説明】
【００２８】
１        根太
２        デッキ材
２ｓ      始端デッキ材
２ｍ      中間デッキ材
２ｅ      終端デッキ材
２１      突条
３Ａ      端部連結金具
３３      湾曲係止片
３Ｂ      中間連結金具
３５      湾曲係止片
ｂ１〜ｂ４  ビス
【図１】
0004601562.tif 000002
【図２】
0004601562.tif 000003
【図３】
0004601562.tif 000004
【図４】
0004601562.tif 000005
【図５】
0004601562.tif 000006
【図６】
0004601562.tif 000007
【図７】
0004601562.tif 000008
【図８】
0004601562.tif 000009
【図９】
0004601562.tif 000010